(57)【要約】【課題】不要な特殊呼びの発生により運転サービスが低下することを防ぐと共に、誤操作などによって登録された呼びを再登録することのできるエレベータシステムを提供する。【解決手段】乗りかご１３内の行先呼び登録装置１４に行先呼び釦３１とは別に呼び登録切替え釦３４を設ける。エレベータ制御装置１１は、行先呼び釦３１の押下によって入力された呼び情報を一般呼びとして一般呼びテーブル２１ａに登録し、呼び登録切替え釦３４の押下後に続けて行先呼び釦３１が押下された場合に特殊呼びとして身障者呼びテーブル２１ｂに登録する。また、エレベータ制御装置１１は、一般呼びまたは特殊呼びとして登録された呼び情報を呼び登録切替え釦３４の押下によりクリアして再登録する。【選択図】      図１
2006256834.tif 000002
【特許請求の範囲】
【請求項１】
通常の運転サービスを行うための一般呼びとは別に、特殊な運転サービスを行うための特殊呼びの登録機能を備えたエレベータシステムであって、
特定の場所で利用者が呼び情報を入力するための呼び釦と、
呼び登録の切替えを指示するための切替え釦と、
上記呼び釦の押下によって入力された呼び情報を一般呼びとして登録し、上記切替え釦の押下後に続けて上記呼び釦が押下された場合に特殊呼びとして登録する登録手段と、
この登録手段によって一般呼びまたは特殊呼びとして登録された呼び情報をクリアして再登録処理を行う再登録手段と
を具備したことを特徴とするエレベータシステム。
【請求項２】
上記登録手段は、上記切替え釦の押下後に所定時間内に上記呼び釦が押下されたか否かを判断し、上記所定時間内に上記呼び釦が押下された場合にそのときの呼び情報を特殊呼びとして登録し、上記所定時間の経過後に上記呼び釦が押下された場合には一般呼びとして登録することを特徴とする請求項１記載のエレベータシステム。
【請求項３】
上記再登録手段は、上記登録手段による呼び情報の登録後、所定時間内に上記切替え釦が押下されたか否かを判断し、上記切替え釦が押下された場合に当該呼び情報が一般呼びとして登録されていれば特殊呼びとして再登録し、特殊呼びとして登録されていれば一般呼びとして再登録することを特徴とする請求項１記載のエレベータシステム。
【請求項４】
上記切替え釦の押下によって特殊呼びが登録可能な状態になったことを通知する登録可能通知手段を備えたことを特徴とする請求項１記載のエレベータシステム。
【請求項５】
一般呼びが登録された場合と特殊呼びが登録された場合とで区別して通知する登録通知手段を備えたことを特徴とする請求項１記載のエレベータシステム。
【発明の詳細な説明】
【技術分野】
【０００１】
本発明は、乗りかご内や乗り場にて呼びを登録する機能を備えたエレベータシステムであって、特に身障者呼びなどの特殊な呼びを登録する場合に用いて好適なエレベータシステムに関する。
【背景技術】
【０００２】
従来、身障者呼びの登録機能を備えたエレベータシステムでは、乗り場や乗りかご内において、一般呼び用の操作盤とは別に身障者専用の操作盤を設置しており、身障者呼びの登録はその専用操作盤の釦を押すことで行われていた。身障者専用の釦であることは、身障者マークやガイドの表示などによって利用者に知らしめられている。
【０００３】
ここで、身障者呼びが登録された場合には、通常とは異なる特殊な運転サービスが行われる。例えば、車椅子の人が乗り込み易いように、乗りかごの着床後に完全に動きが停止してからドアを開いたり、ドアの戸開時間を通常よりも長くするなどである。
【０００４】
ところが、身障者呼びは誰でも簡単に登録できるうえ、一般の利用者は、その身障者呼びによって通常とは異なる特殊な運転サービスが行われることを知らないことから、一般の呼び釦だけでなく、身障者呼び釦も押せば早くエレベータが来る、あるいは、早くドアが閉まるなどと勘違いして押してしまうことが多い。このため、無駄な身障者呼びが頻繁に発生し、運転サービス（待ち時間）の低下を招くといった問題があった。
【０００５】
このようなエレベータの身障者呼びに関する発明として、例えば特許文献１に開示されているものが知られている。この特許文献１には、乗り場や乗りかご内で身障者呼びを登録する場合において、身障者専用の釦を押下した後、一定時間内に一般の呼び釦を続けて押すことで、身障者呼びが登録されることが開示されている。
【特許文献１】特開平１１−２６３５４１号公報
【発明の開示】
【発明が解決しようとする課題】
【０００６】
上述した特許文献１では、身障者呼びの登録を２回の釦操作によって行うため、一般の利用者が身障者専用の釦を押下しても、続けて一般呼び釦を押下しない限りは身障者呼びを登録することができない。
【０００７】
しかしながら、上記特許文献１では、一般呼びにしても、特殊呼びにしても、一度登録された呼び情報はそのまま保持されるため、後で操作を誤ったことに気付いたとしても、それを撤回できないといった問題があった。
【０００８】
本発明は上記のような点に鑑みなされたもので、不要な特殊呼びの発生により運転サービスが低下することを防ぐと共に、誤操作などによって登録された呼びを再登録することのできるエレベータシステムを提供することを目的とする。
【課題を解決するための手段】
【０００９】
本発明のエレベータシステムは、通常の運転サービスを行うための一般呼びとは別に、特殊な運転サービスを行うための特殊呼びの登録機能を備えたエレベータシステムであって、特定の場所で利用者が呼び情報を入力するための呼び釦と、呼び登録の切替えを指示するための切替え釦と、上記呼び釦の押下によって入力された呼び情報を一般呼びとして登録し、上記切替え釦の押下後に続けて上記呼び釦が押下された場合に特殊呼びとして登録する登録手段と、この登録手段によって一般呼びまたは特殊呼びとして登録された呼び情報をクリアして再登録処理を行う再登録手段とを具備して構成される。
【００１０】
このような構成によれば、切替え釦の押下後に呼び釦を押下するといった２回の釦操作によって特殊呼びが登録される。したがって、一般の利用者が安易に特殊呼びを登録することがなくなり、運転サービスが低下することを防ぐことができる。また、呼び情報の登録後に切替え釦を押下することで、誤操作などによって登録した呼び情報を再登録することができる。
【発明の効果】
【００１１】
本発明によれば、特殊呼びの登録を２回の釦操作によって行うため、一般の利用者による安易な特殊呼びの登録を減らし、結果的に運転サービスの低下を防ぐことができる。また、誤操作などにより登録された呼び情報を撤回して再登録することができ、その利用者に適した運転サービスを行うことができる。
【発明を実施するための最良の形態】
【００１２】
以下、図面を参照して本発明の実施形態を説明する。
【００１３】
図１は本発明の一実施形態に係るエレベータシステムの構成を示す図であり、特に乗りかご内で呼び登録する場合の構成を示す図である。
【００１４】
このエレベータシステムは、エレベータ制御装置１１、巻上機１２、乗りかご１３などを備える。本発明の中心となる行先呼び登録装置１４は、乗りかご１３の中に設置されている。
【００１５】
エレベータ制御装置１１は、エレベータ全体の制御を行う制御装置（コンピュータ）であり、運転制御部２１および信号入出力部２２を有する。信号入出力部２２は、乗りかご１３内の行先呼び登録装置１４との間でかご伝送ライン２３を介して信号の入出力を行う。運転制御部２１は、行先呼び登録装置１４からかご伝送ライン２３を介して送られてくる呼び情報（行先呼び）を「一般呼び」または「身障者呼び」と判断し、運転制御部２１内に設けられた一般呼びテーブル２１ａまたは身障者呼びテーブル２１ｂに登録することで、その呼び情報に応じた運転制御を行う。
【００１６】
「一般呼び」とは、通常の運転サービスを行うための呼び情報のことであり、その呼び情報は運転制御部２１内に設けられた一般呼びテーブル２１ａに登録される。なお、呼び情報には、行先呼び（かご呼びとも呼ばれる）であれば、利用者が指定した行先階の情報が含まれ、乗り場呼びであれば、乗り場の階床と行先方向（上方向／下方向）の情報が含まれる。
【００１７】
「身障者呼び」とは、身障者専用の特殊な運転サービスを行うための呼び情報のことであり、その呼び情報は運転制御部２１内に設けられた身障者呼びテーブル２１ｂに登録される。「身障者呼び」が登録された場合には、乗りかごの着床後に完全に動きが停止してからドアを開いたり、ドアの戸開時間を通常よりも長くするなど、通常とは異なる特殊な運転サービスが行われる。この特殊な運転サービスは、行先呼び（かご呼び）でも乗り場呼びでも同様に行なわれる。
【００１８】
巻上機１２は、電動機であるモータ２４と、そのモータ２４に取り付けられたパルスジェネレータ（ＰＧ）２５を備え、エレベータ制御装置１１の指示に従ってモータ２４が回転駆動される。このモータ２４の回転に伴い、メインロープ２６を介して乗りかご１３がカウンタウェイト（釣り合い重り）２７と共に図示せぬ昇降路内をつるべ式に昇降動作する。また、このときのモータ２４の回転数がパルスジェネレータ２５によって検出される。エレベータ制御装置１１では、このパルスジェネレータ２５から出力されるパルスデータを信号入出力部２２を介して受けることで、かご位置や速度の検出を行っている。
【００１９】
乗りかご１３内の行先呼び登録装置１４には、行先呼び釦３１、行先呼び登録表示部３２、信号入出力部３３が設けられている。行先呼び釦３１は、行先呼びを入力するための釦であり、具体的には行先階を指定するための複数の釦群からなる。行先呼び登録表示部３２は、行先呼びが登録された階を表示する。信号入出力部３３は、エレベータ制御装置１１との間のインタフェースであり、エレベータ制御装置１１に設けられた信号入出力部２２との間で信号の入出力を行う。
【００２０】
さらに、この行先呼び登録装置１４には、呼び登録切替え釦３４、身障者呼び登録可能表示部３５、身障者呼び登録表示部３６が設けられている。呼び登録切替え釦３４は、呼び登録を切り替えるための釦である。身障者呼び登録可能表示部３５および身障者呼び登録表示部３６は乗りかご１３内の利用者に対する通知手段として用いられるものである。身障者呼び登録可能表示部３５は、身障者呼びの登録が可能な状態であることを表示する。身障者呼び登録表示部３６は、身障者呼びが登録されたことを表示する。
【００２１】
図２は同実施形態におけるエレベータシステムの構成として、特に乗り場で呼び登録する場合の構成を示す図である。なお、図１と同じ部分には同一符号を付して、その説明は省略するものとする。
【００２２】
エレベータ制御装置１１は、運転制御部２１および信号入出力部２２を有する。信号入出力部２２は、乗り場呼び登録装置１５との間で乗り場伝送ライン２８を介して信号の入出力を行う。運転制御部２１は、乗り場呼び登録装置１５から乗り場伝送ライン２８を介して送られてくる呼び情報（乗り場呼び）を「一般呼び」または「身障者呼び」と判断し、運転制御部２１内に設けられた一般呼びテーブル２１ａまたは身障者呼びテーブル２１ｂに登録することで、その呼び情報に応じた運転制御を行う。
【００２３】
各階の乗り場に設置された乗り場呼び登録装置１５には、乗り場呼び釦４１、乗り場呼び登録表示部４２、信号入出力部４３が設けられている。乗り場呼び釦４１は、乗り場呼びを入力するための釦であり、具体的には上方向または下方向を指定するための釦からなる。乗り場呼び登録表示部４２は、乗り場が登録された階を表示する。信号入出力部４３は、エレベータ制御装置１１との間のインタフェースであり、エレベータ制御装置１１に設けられた信号入出力部２２との間で信号の入出力を行う。
【００２４】
さらに、この乗り場呼び登録装置１５には、呼び登録切替え釦４４、身障者呼び登録可能表示部４５、身障者呼び登録表示部４６などが設けられている。呼び登録切替え釦４４は、呼び登録を切り替えるための釦である。上述したように、「一般呼び」とは、一般の利用者用の運転サービスを行うための呼び情報のことである。「身障者呼び」とは、身障者専用の特殊な運転サービスを行うための呼び情報のことである。身障者呼び登録可能表示部４５および身障者呼び登録表示部４６は、乗り場にいる利用者に対する通知手段として用いられるものである。身障者呼び登録可能表示部４５は、身障者呼びの登録が可能な状態を表示する。身障者呼び登録表示部４６は、身障者呼びが登録されたことを表示する。
【００２５】
なお、図２の例では、乗り場呼び登録装置１５が1つしか図示されていないが、実際には各階の乗り場毎に設置されており、それぞれに乗り場伝送ライン２８を介してエレベータ制御装置１１に接続されている。
【００２６】
図３は乗りかご１３に設置された行先呼び登録装置１４の操作盤の一例を示す図である。
【００２７】
行先呼び登録装置１４の操作盤上には、かご位置を表示するためのかご位置表示部５１、メッセージを表示するためのメッセージ表示部５２、非常釦５３、戸開釦５４、戸閉釦５５、行先呼び釦３１、行先呼び登録表示部３２に加え、呼び登録切替え釦３４、身障者呼び登録可能表示部３５、身障者呼び登録表示部３６が設けられている。上述したように、呼び登録切替え釦３４は呼び登録を切替えるための釦、身障者呼び登録可能表示部３５は身障者呼びの登録が可能な状態を表示し、身障者呼び登録表示部３６は身障者呼びが登録されたことを表示する。
【００２８】
なお、図３の例では、行先呼び釦３１と行先呼び登録表示部３２、呼び登録切替え釦３４と身障者呼び登録可能表示部３５が入力／表示一体型の構成として示されている。
【００２９】
図４は乗り場に設置された乗り場呼び登録装置１５の操作盤の一例を示す図である。
【００３０】
乗り場呼び登録装置１５の操作盤上には、乗り場呼び釦４１、乗り場呼び登録表示部４２に加え、呼び登録切替え釦４４、身障者呼び登録可能表示部４５、身障者呼び登録表示部４６が設けられている。上述したように、呼び登録切替え釦４４は呼び登録を切替えるための釦、身障者呼び登録可能表示部４５は身障者呼びの登録が可能な状態を表示し、身障者呼び登録表示部４６は身障者呼びが登録されたことを表示する。
【００３１】
なお、図４の例では、乗り場呼び釦４１と乗り場呼び登録表示部４２、呼び登録切替え釦４４と身障者呼び登録可能表示部４５が入力／表示一体型の構成として示されている。
【００３２】
次に、本システムの動作について、乗りかご１３内にて行先呼びを登録する場合を想定して説明する。
【００３３】
図５および図６は本システムのエレベータ制御装置１１による呼び登録処理を示すフローチャートである。なお、乗りかご１３の着床時などを含む呼び登録の初期時において、身障者呼び入力モードはクリアされているものとする。
【００３４】
乗りかご１３の着床に伴い、その乗りかご１３に乗り込んだ利用者が行先呼び登録装置１４に設けられた行先呼び釦３１を押下すると（ステップＡ１１のＹｅｓ）、その行先呼び釦３１に対応した階を行先階とした呼び情報（行先呼び）がかご伝送ライン２３を介してエレベータ制御装置１１に与えられる。エレベータ制御装置１１では、このときに得られた呼び情報を「一般呼び」として一般呼びテーブル２１ａに登録する（ステップＡ１２）。
【００３５】
ここで、エレベータ制御装置１１は、図示せぬタイマを起動することにより、行先呼び釦３１が押下されてからの経過時間を計時し（ステップＡ１３）、所定時間Ｔ１が経過する間に呼び登録切替え釦３４が押下されたか否かを判断する（ステップＡ１４，Ａ１５）。上記所定時間Ｔ１は、例えば５秒程度であり、身障者が誤って行先呼び釦３１を押下した場合にそれを撤回するために要する時間として予め設定されている。
【００３６】
このＴ１の時間が経過するまでの間に呼び登録切替え釦３４が押下された場合には（ステップＡ１５のＹｅｓ）、エレベータ制御装置１１は、既に一般呼びテーブル２１ａに「一般呼び」として登録されている呼び情報をクリアした後、その同じ呼び情報を「身障者呼び」として身障者呼びテーブル２１ｂに再登録する（ステップＡ１６）。また、このときに身障者呼び登録表示部３６を点灯して、「身障者呼び」が登録されていることを知らしめる（ステップＡ１７）。
【００３７】
なお、呼び登録切替え釦３４の押下によって呼び情報の登録を「一般呼び」から「身障者呼び」に切り替えた場合に、たとえＴ１の時間が残っていても、再度切り替えることを禁止するものとする。これは、何度でも切替え可能とすると、多数の利用者が存在した場合に、Ｔ１の時間の中で最後に呼び登録切替え釦３４を押下した利用者の呼び情報が最終的に選ばれてしまうためである。ここでの再登録処理は、あくまでも、１人の利用者が操作を誤って登録してしまった呼び情報を切り替えるために設けられている。
【００３８】
また、行先呼び釦３１の押下により一般呼びテーブル２１ａに「一般呼び」としての呼び情報が登録された後、呼び登録切替え釦３４の押下なしに所定時間Ｔ１が経過した場合には（ステップＡ１４のＹｅｓ）、エレベータ制御装置１１は、その呼び情報を「一般呼び」として確定する。
【００３９】
一方、利用者が行先呼び釦３１ではなく、呼び登録切替え釦３４を最初に押下した場合には（ステップＡ１１→Ａ１８のＹｅｓ）、エレベータ制御装置１１は、身障者呼び入力モードをセットし（ステップＡ１９）、身障者呼び登録可能表示部３５を点灯あるいは点滅するなどして身障者呼びの登録が可能な状態であることを利用者に知らしめる（ステップＡ２０）。
【００４０】
ここで、エレベータ制御装置１１は、図示せぬタイマを起動することにより、身障者呼び入力モードがセットされてからの経過時間を計時する（ステップＡ２１）。そして、所定時間Ｔ２が経過した場合には（ステップＡ２２のＹｅｓ）、エレベータ制御装置１１は、身障者呼び入力モードをクリアし（ステップＡ２３）、身障者呼び登録可能表示部３５を消灯することで身障者呼びの登録できない状態であることを利用者に知らしめる（ステップＡ２４）。上記所定時間Ｔ２は、例えば３秒程度であり、一般の利用者が誤って呼び登録切替え釦３４を押下した場合にそれを撤回するために要する時間として予め設定されている。
【００４１】
呼び登録切替え釦３４の押下後、続いて行先呼び釦３１が押下された場合（ステップＡ２５のＹｅｓ）、エレベータ制御装置１１は、身障者呼び入力モードがセットされているか否かを判断する（ステップＡ２６）。上述したように、身障者呼び入力モードは、呼び登録切替え釦３４が押下されてから所定時間Ｔ２が経過するとクリアされるようになっている。
【００４２】
身障者呼び入力モードがセットされていた場合、つまり、呼び登録切替え釦３４の押下後、Ｔ２の時間内に続いて行先呼び釦３１が押下されたならば（ステップＡ２６のＹｅｓ）、エレベータ制御装置１１は、その行先呼び釦３１の押下によって得られた呼び情報（行先呼び）を「身障者呼び」として身障者呼びテーブル２１ｂに登録する（ステップＡ２７）。また、このときに身障者呼び登録表示部３６を点灯して、「身障者呼び」が登録されていることを知らしめる（ステップＡ２８）。
【００４３】
また、このようにして「身障者呼び」が登録された場合に、エレベータ制御装置１１は再登録処理を実行し、登録後に所定時間Ｔ１の間に呼び登録切替え釦３４が押下されたならば、現在「身障者呼び」として登録されている呼び情報を「一般呼び」として再登録する（ステップＡ２９）。なお、この場合も呼び登録切替え釦３４の押下による再登録処理は１度だけとする。
【００４４】
一方、身障者呼び入力モードがセットされていなかった場合、つまり、呼び登録切替え釦３４の押下後、Ｔ２の時間が過ぎてから行先呼び釦３１が押下されたならば（ステップＡ２６のＮｏ）、エレベータ制御装置１１は、その行先呼び釦３１の押下によって得られた呼び情報を「一般呼び」として受け付け、これを一般呼びテーブル２１ａに登録する（ステップＡ３０）。
【００４５】
また、「一般呼び」が登録された場合でも、上記同様の再登録処理を実行することで、呼び登録切替え釦３４の押下により「身障者呼び」として再登録できるようにする（ステップＡ３１）。
【００４６】
このようにして、「一般呼び」または「身障者呼び」が登録されると、エレベータ制御装置１１では、その呼びの種類に応じた運転制御を行う。
【００４７】
すなわち、「一般呼び」であれば、一般呼びテーブル２１ａに登録された呼び情報に基づいて乗りかご１３を行先階まで移動させる。その際、運行効率を優先するために、乗りかご１３の着床と略同時に戸開し、また、通常の時間で戸閉して直ぐに出発できるようにする。これに対し、「身障者呼び」であれば、身障者呼びテーブル２１ｂに登録された呼び情報に基づいて乗りかご１３を行先階まで移動させたときに、身障者が車椅子で移動することなどを考慮して、乗りかご１３の着床後、完全に動きが停止してから戸開し、また、「一般呼び」よりも戸開時間を長くして、利用者がゆっくり乗り降りできるようにする。
【００４８】
図７および図８は本システムのエレベータ制御装置１１による他の呼び登録処理を示すフローチャートであり、一般呼びが登録された階と身障者呼びが登録された階を区別可能な表示する処理を含んでいる。
【００４９】
基本的な処理の流れは、図５および図６に示した呼び登録処理と同様である。すなわち、乗りかご１３の着床に伴い、その乗りかご１３に乗り込んだ利用者が行先呼び登録装置１４に設けられた行先呼び釦３１を押下すると（ステップＢ１１のＹｅｓ）、その行先呼び釦３１に対応した階を行先階として呼び情報（行先呼び）がかご伝送ライン２３を介してエレベータ制御装置１１に与えられる。エレベータ制御装置１１では、このときに得られた呼び情報を「一般呼び」として一般呼びテーブル２１ａに登録する（ステップＢ１２）。
【００５０】
また、「一般呼び」の登録後、所定時間Ｔ１の間に呼び登録切替え釦３４が押下された場合には（ステップＢ１４〜Ｂ１６のＹｅｓ）、エレベータ制御装置１１は、既に一般呼びテーブル２１ａに「一般呼び」として登録されている呼び情報をクリアした後、その同じ呼び情報を「身障者呼び」として身障者呼びテーブル２１ｂに再登録する（ステップＢ１７）。
【００５１】
ここで、「一般呼び」または「身障者呼び」が登録された場合に、図３に示すように行先呼び登録表示部３２の中で該当する階の釦を点灯することで、呼びが登録されたことを表示するが、その際に「一般呼び」と「身障者呼び」を区別するために異なる表示形態で表示する。
【００５２】
すなわち、上記ステップＢ１２にて「一般呼び」が登録された場合には、例えば青色で該当する釦を表示することで（ステップＢ１３）、一般呼びが登録されたことを利用者に知らしめるようにする。また、上記ステップＢ１７にて「身障者呼び」が再登録された場合には、例えば赤色に変えて該当する釦を表示することで、「身障者呼び」が登録されたことを利用者に知らしめるようにする（ステップＢ１８）。その際に、さらに身障者呼び登録表示部３６を点灯することで、「身障者呼び」が登録された旨を強調するようにしても良い。
【００５３】
呼び登録切替え釦３４の押下により身障者呼び入力モードが所定時間Ｔ２の間だけセットされる場合でも同様である（ステップＢ１９〜Ｂ２５）。
【００５４】
すなわち、身障者呼び入力モード期間中に行先呼び釦３１が押下されたことで「身障者呼び」が登録された場合には（ステップＢ２６〜Ｂ２８）、例えば赤色で該当する釦を表示することで、「身障者呼び」が登録されたことを利用者に知らしめるようにする（ステップＢ２９）。その際に、身障者呼び登録表示部３６を点灯することで、「身障者呼び」が登録された旨を強調するようにしても良い。
【００５５】
なお、再登録処理により「身障者呼び」から「一般呼び」に再登録された場合には（ステップＢ３０）、赤色から青色に釦の表示色を変更するものとする。
【００５６】
また、身障者呼び入力モード期間外に行先呼び釦３１が押下されたことで「一般呼び」が登録された場合には（ステップＢ２６，Ｂ２７→Ｂ３１）、例えば青色で該当する釦を表示することで、「一般呼び」が登録されたことを利用者に知らしめるようにする（ステップＢ３２）。
【００５７】
この場合も再登録処理により「一般呼び」から「身障者呼び」に再登録された場合には（ステップＢ３３）、青色から赤色に釦の表示色を変更するものとする。
【００５８】
以上のように、「身障者呼び」を登録する場合において、「呼び登録切替え釦３４＋行先呼び釦３１」といった２度の釦操作を行うようにしたことで、一般利用者が安易に「身障者呼び」を登録してしまうことを減らすことができ、その結果、不要な「身障者呼び」により運転サービスが低下することを防止することができる。
【００５９】
また、「一般呼び」または「身障者呼び」の登録後、呼び登録切替え釦３４を押下すれば、そのときの呼び登録を一度だけ切り替えて再登録することが可能である。したがって、例えば誤操作により身障者が「一般呼び」を登録してしまった場合、あるいは、一般利用者が「身障者呼び」を登録してしまった場合にそれを直ぐに撤回して再登録することで、常に利用者に適した運転サービスを行うことができる。
【００６０】
なお、「呼び登録切替え釦３４＋行先呼び釦３１」といった２度の釦操作によって「身障者呼び」を登録することや、呼び登録後に呼び登録切替え釦３４を直ぐに押せば再登録できるといった呼び操作の方法や、身障者呼びの登録が可能な状態などについて、例えばメッセージ表示部５２などを通じてメッセージ表示したり、あるいは、図示せぬマイクを通じて音声にて通知することが望ましい。
【００６１】
また、本発明の呼び登録処理について、乗りかご１３内で行先呼びを登録する場合を例にして説明したが、図２に示すように各階の乗り場にて乗り場呼び登録装置１５を通じて乗り場呼びを登録する場合も同様である。
【００６２】
すなわち、乗り場呼び登録装置１５に設けられた乗り場呼び釦４１の押下により行先方向（上方向／下方向）と乗り場の階を示す呼び情報（乗り場呼び）を「一般呼び」として一般呼びテーブル２１ａに登録し、さらに所定時間Ｔ１以内に呼び登録切替え釦４４が押下された場合には、「一般呼び」をキャンセルして当該呼び情報を「身障者呼び」として身障者呼びテーブル２１ｂに再登録するといった処理を行う。
【００６３】
また、呼び登録切替え釦４４の押下により身障者入力モードを所定時間Ｔ２の間だけセットし、その間に乗り場呼び釦４１が押されたならば、その乗り場呼び釦４１の押下によって得られる呼び情報（乗り場呼び）を「身障者呼び」として身障者呼びテーブル２１ｂに登録し、さらに所定時間Ｔ１以内に呼び登録切替え釦４４が押下された場合には「一般呼び」として再登録する。一方、上記所定時間Ｔ２の経過後に乗り場呼び釦４１が押されたならば、その呼び情報を「一般呼び」として一般呼びテーブル２１ａに登録し、さらに所定時間Ｔ１以内に呼び登録切替え釦４４が押下された場合には「特殊呼び」として再登録するといった処理を行う。
【００６４】
この場合も、乗り場呼び登録表示部４２内の該当する釦（アップ釦／ダウン釦）を「一般呼び」と「身障者呼び」で区別して表示したり、例えば乗り場にディスプレイまたはマイクを設置して、呼び登録の操作方法や「身障者呼び」が登録可能な状態であることなどを利用者に通知するようにしても良い。
【００６５】
なお、上記実施形態では、呼び登録の処理をエレベータ制御装置１１内で行う構成としたが、この処理を乗りかご１３内に設置された行先呼び登録装置１４や乗り場に設置された乗り場呼び登録装置１５内で行っても同じ効果を得ることができる。
【００６６】
また、上記実施形態では、身障者専用の運転サービスを行うための「身障者呼び」を登録する場合について説明したが、本発明は「身障者呼び」の登録に限らず、「一般呼び」とは異なる運転サービスを行う特殊な呼びを登録する場合に適用可能である。
【００６７】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６８】
【図１】図１は本発明の一実施形態に係るエレベータシステムの構成を示す図であり、特に乗りかご内で呼び登録する場合の構成を示す図である。
【図２】図２は同実施形態におけるエレベータシステムの構成を示す図であり、特に乗り場で呼び登録する場合の構成を示す図である。
【図３】図３は乗りかごに設置された行先呼び登録装置の操作盤の一例を示す図である。
【図４】図４は乗り場に設置された乗り場呼び登録装置の操作盤の一例を示す図である。
【図５】図５は本システムのエレベータ制御装置による呼び登録処理を示すフローチャートである。
【図６】図６は本システムのエレベータ制御装置による呼び登録処理を示すフローチャートである。
【図７】図７は本システムのエレベータ制御装置による他の呼び登録処理を示すフローチャートである。
【図８】図８は本システムのエレベータ制御装置による他の呼び登録処理を示すフローチャートである。
【符号の説明】
【００６９】
１１…エレベータ制御装置、１２…巻上機、１３…乗りかご、１４…行先呼び登録装置、１５…乗り場呼び登録装置、２１…運転制御部、２１ａ…一般呼びテーブル、２１ｂ…身障者呼びテーブル、２２…信号入出力部、２３…かご伝送ライン、２４…モータ、２５…パルスジェネレータ、２６…メインロープ、２７…カウンタウェイト、２８…乗り場伝送ライン、３１…行先呼び釦、３２…行先呼び登録表示部、３３…信号入出力部、３４…呼び登録切替え釦、３５…身障者呼び登録可能表示部、３６…身障者呼び登録表示部、４１…乗り場呼び釦、４２…乗り場呼び登録表示部、４３…信号入出力部、４４…呼び登録切替え釦、４５…身障者呼び登録可能表示部、４６…身障者呼び登録表示部、５１…かご位置表示部、５２…メッセージ表示部、５３…非常釦、５４…戸開釦、５５…戸閉釦。
【図１】
2006256834.tif 000003
【図２】
2006256834.tif 000004
【図３】
2006256834.tif 000005
【図４】
2006256834.tif 000006
【図５】
2006256834.tif 000007
【図６】
2006256834.tif 000008
【図７】
2006256834.tif 000009
【図８】
2006256834.tif 000010